(57)【要約】      （修正有）【課題】表示灯の視認性の高い光電式煙感知器を提供する。【解決手段】煙が導入される検煙部を格納する暗箱を構成する環状のラビリンス部４ｂと、ラビリンス部４ｂの外周に設けられた防虫網５と、火災や異常等の動作状態を表示する表示灯６とを備えた光電式煙感知器において、防虫網５を照射するように表示灯６を設けたことを特徴とし、又、表示灯６は、光を導光するライトガイド６ｂを有し、そのライトガイド６ｂを介して光を防虫網５に照射するものであることを特徴とする。【選択図】図２
2014197275.tif 000002
【特許請求の範囲】
【請求項１】
煙が導入される検煙部を格納する暗箱を構成する環状のラビリンス部と、該ラビリンス部の外周に設けられた防虫網と、火災や異常等の動作状態を表示する表示灯とを備えた光電式煙感知器において、
前記防虫網を照射するように前記表示灯を設けたことを特徴とする光電式煙感知器。
【請求項２】
前記表示灯は、光を導光するライトガイドを有し、そのライトガイドを介して光を前記防虫網に照射するものであることを特徴とする請求項１に記載の光電式煙感知器。
【請求項３】
前記ライトガイドは、前記表示灯の光の一部を前記防虫網に照射するものであることを特徴とする請求項２に記載の光電式煙感知器。
【発明の詳細な説明】
【技術分野】
【０００１】
この発明は、煙を光学的に検知する光電式煙感知器に関する。
【背景技術】
【０００２】
火災発生時の煙を検知する煙感知器において、煙を光学的に検知する光電式のものが広く用いられている。
【０００３】
この種の煙感知器は、火災の発生を検知したこと等を表示する表示灯を備えているが、従来、表示灯の点灯を感知器筐体の外部から視認できるように、表示灯（砲弾型のＬＥＤ）の発光部分を感知器筐体の外部に露出させて設けたり（特許文献１参照）、或いは、表示灯の光を感知器筐体の外部に導光するライトガイドを別途設けたり（特許文献２参照）している。
【先行技術文献】
【特許文献】
【０００４】
【特許文献１】特開平０５−０８１５７７号公報
【特許文献２】特開２００７−１８８５４３号公報
【発明の概要】
【発明が解決しようとする課題】
【０００５】
この種の煙感知器においては、勿論、表示灯の視認性は高い方が好ましく、表示灯の視認性を向上させることが望まれている。
【０００６】
しかしながら、そもそも、表示灯の発光部分を露出させて設けるものの場合、発光部分の面積が小さいため表示灯の点灯を視認し難いという問題があり、更に、視認可能な範囲が発光部分の指向性に依存するため指向性の範囲外からでは表示灯の点灯を視認できないという問題がある。
【０００７】
又、ライトガイドを別途設けるものの場合、例えば、前記の特許文献２に記載の技術が提案しているように、表示灯の点灯の視認性を向上させるのにライトガイドを大きな形状のものにして光を拡散させることが考えられるが、そのようにするとライトガイドを含めて感知器全体の構造が複雑なものとなってしまうという問題がある。
【０００８】
つまり、表示灯の発光部分を露出させて設けるものの場合も、ライトガイドを別途設けるものの場合も、何れの場合も、容易には表示灯の視認性を向上させることができなかった。
【０００９】
この発明は、前記の事情に鑑み、表示灯の視認性の高い光電式煙感知器を提供することを目的とする。
【課題を解決するための手段】
【００１０】
この発明は、煙が導入される検煙部を格納する暗箱を構成する環状のラビリンス部と、該ラビリンス部の外周に設けられた防虫網と、火災や異常等の動作状態を表示する表示灯とを備えた光電式煙感知器において、前記防虫網を照射するように前記表示灯を設けたことを特徴とする光電式煙感知器である。
【００１１】
又、この発明は、前記表示灯は、光を導光するライトガイドを有し、そのライトガイドを介して光を前記防虫網に照射するものであることを特徴とする光電式煙感知器である。
【００１２】
又、この発明は、前記ライトガイドは、前記表示灯の光の一部を前記防虫網に照射するものであることを特徴とする光電式煙感知器である。
【発明の効果】
【００１３】
この発明によれば、表示灯の光を防虫網に反射させて拡散させることができ、表示灯から直接拡散する光と、その光とは縦方向にも、横方向にも異なる角度範囲で拡散する防虫網に反射して拡散する光によっても表示灯の点灯を視認することができ、即ち、表示灯点灯の視認可能な角度範囲を縦方向にも、横方向にも拡大することができる。
【００１４】
従って、この発明によれば、表示灯の視認性の高い光電式煙感知器を提供することができる。
【図面の簡単な説明】
【００１５】
【図１】この発明の煙感知器の実施形態の一例を示し、取り付け面への取り付け用のベースを含めた感知器全体の縦断面図（ライトガイドを含む断面）である。
【図２】同上を示し、図１の要部の拡大図である。
【図３】同上を示し、感知器全体の正面図である。
【発明を実施するための形態】
【００１６】
この発明の実施形態を図１乃至図３に基いて説明する。尚、以下の説明において、「上」、「下」、「縦」、「横」等の位置又は方向を示す語を用いるが、何れも、図面上の位置又は方向に対応して相対的に用いたものであり、それらの位置又は方向は煙感知器の向きに応じて変わるものである。例えば、図１乃至図３では取り付けベース側を上に示し、感知器カバー側を下に示しているが、煙感知器を壁面に設置する場合は上下は左右に変わり、縦横は逆に変わることになる。
【００１７】
先ず、この発明の光電式煙感知器の実施形態の一例である煙感知器１全体の基本構成について説明する。尚、煙感知器１は所謂埋め込み型のものであるが、この発明は所謂露出型のものへの適用も可能である。
【００１８】
煙感知器１は、火災発生時の煙を光学的に検知する光電式のものであり、感知器本体２と、各種電気部品が実装される回路基板３と、煙を光学的に検出するための検煙部を包囲し、下部に光学台カバー４ａが装着されて暗箱を構成する環状のラビリンス部４ｂが表面側に設けられた光学台４と、帯状の金属材料に複数の穴を形成してなり、ラビリンス部４ｂの外周に環状に装着された防虫網５と、火災発生や機器の異常等の動作状態を表示し、回路基板３上に実装されるＬＥＤ素子等の発光源６ａ及びその光をガイドするライトガイド６ｂからなる表示灯６と、検煙部への煙の流入口をラビリンス部４ｂの周囲に有しつつ、下方から光学台４等を覆う感知器筐体をなす感知器カバー７と、感知器本体２の周囲を覆うスカート部９ａを有し、感知器本体２が勘合金具８によって装着され、感知器筐体を埋め込み式に取り付けるための取り付けベース９等を備えている。
【００１９】
尚、図示は省略するが、煙感知器１は、検煙部を包囲するラビリンス部４ｂ内に発光素子と受光素子とを有しており、発光素子の光が検煙部内に流入する煙によって散乱することにより生じる散乱光を受光素子で検知することで煙を光学的に検知することができるようになっている。
【００２０】
そして、煙感知器１において、表示灯６は、その光を防虫網５に照射するものとなっている。
【００２１】
具体的には、表示灯６は、本実施形態においては、発光源６ａからの光を導光（矢印Ａ方向）するライトガイド６ｂが、光を出射する出射部として、感知器外方に面し、感知器外方に光を直接拡散（矢印ａ１方向）させるように出射する第１の出射部６ｂ１と、防虫網５に面し、防虫網５に光を照射して防虫網５に反射させて（この際、光は金属材料の防虫網５の表面に単に反射するだけでなく、防虫網５に形成された煙流入用の穴により乱反射して広い範囲に拡散することになる）感知器外方に拡散（矢印ａ２方向）させるように出射する第２の出射部６ｂ２とを有するものとなっている。
【００２２】
これにより、煙感知器１は、表示灯６の第１の出射部６ｂ１から出射されて感知器外方に直接拡散する光に加えて、表示灯６の第２の出射部６ｂ２から出射されて防虫網５に反射し、第１の出射部６ｂ１から感知器外方に直接拡散する光とは縦方向にも、横方向にも異なる角度範囲で感知器外方に拡散する光によっても、表示灯６の光を視認することができるようになっており、即ち、表示灯６の光の視認可能な角度範囲を縦方向にも、横方向にも拡大することができるようになっている。例えば、図２の拡大縦断面図に縦方向に関し例示的に示したように、煙感知器１は、表示灯６の第１の出射部６ｂ１から出射されて感知器外方に直接拡散する視認可能な光の角度範囲θ１に加えて、表示灯６の第２の出射部６ｂ２から出射されて防虫網５により反射し、角度範囲θ１とは異なる角度範囲で主に横方向に感知器外方に拡散する視認可能な光の角度範囲θ２においても、表示灯６の光を視認することができるようになっており、視認可能な光の角度範囲を拡大することができるようになっている。
【００２３】
つまり、煙感知器１は、表示灯６が光を防虫網５に照射するものとなっていることで、表示灯６点灯の視認可能な角度範囲を縦方向にも、横方向にも拡大することができ、表示灯６の視認性を向上させることができるものとなっている。
【００２４】
ここで、本実施形態において、第１の出射部６ｂ１は、煙感知器１の略縦方向から約３０度の横方向への角度範囲で直接光を拡散するように縦方向に対して約３０度傾いた斜面に形成されている。又、第２の出射部６ｂ２は、略横方向から約４５度の縦方向への角度範囲で防虫網５により反射した光が拡散するように縦方向に対して約４５度傾いた斜面に形成されている。これにより、煙感知器１を天井に設置した状態において、煙感知器１から離れた場所からは防虫網５に反射した光を視認することができ、近い場所からは直接拡散する光を視認することができる。
【００２５】
更に、本実施形態における表示灯６について説明する。
【００２６】
表示灯６において、発光源６ａは、回路基板３の上面に実装されて設けられたものとなっており、回路基板３に形成された貫通穴３ａを介して回路基板３の下方に設けられたライトガイド６ｂ基端側の光の導入部に光が導入されるものとなっている。又、ライトガイド６ｂは、回路基板３の下方から断面略Ｌ字状に延在し、先端側の光の出射部である第１の出射部６ｂ１と第２の出射部６ｂ２とが光学台４の外側下端縁と感知器カバー７の煙の流入口の内側下端縁との間から外部に露出し、そのうち第２の出射部６ｂ２が防虫網５の上部外側に間隔を置いて位置し、防虫網５の上方から光を防虫網５に照射するものとなっている。
【００２７】
尚、表示灯６の前記の構造は、表示灯６が光を防虫網５にも照射するものとなる範囲内で適宜変更することが可能である。又、表示灯６は、煙感知器１の周方向に等角度間隔で複数、具体的には２つ設けられているが、その配置及び数も適宜変更が可能である。
【００２８】
以上、この発明の実施形態の一例について説明したが、この発明は上記の実施形態に限定されるものではなく、発明の要旨の範囲以内で適宜変更等が可能である。
【００２９】
例えば、上記の実施形態では表示灯６をライトガイド６ｂを介して防虫網５にも照射するものとしているが、それに代えて表示灯６を砲弾型のＬＥＤとし、その点灯部分を防虫網５にも照射するものとなるように外部に露出させて設けるようにしてもよい。
【００３０】
又、防虫網５は、光を反射するものであればよく、金属材料に代えて光沢がある樹脂材料で形成するようにしてもよい。
【符号の説明】
【００３１】
１：煙感知器  ２：感知器本体  ３：回路基板  ３ａ：貫通穴  ４：光学台
４ａ：光学台カバー  ４ｂ：ラビリンス部  ５：防虫網  ６：表示灯
６ａ：発光源  ６ｂ：ライトガイド  ６ｂ１：第１の出射部
６ｂ２：第２の出射部  ７：感知器カバー  ８嵌合金具  ９：取り付けベース
９ａ：スカート部
【図１】
2014197275.tif 000003
【図２】
2014197275.tif 000004
【図３】
2014197275.tif 000005